【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
画像を表示部へ表示することを制御可能な情報処理装置であって、
カメラで撮影することにより得られた画像と当該カメラの撮影にかかる対象を明示する情報とを表示部へ表示するように制御する表示制御手段と、
前記表示部に対する操作指示を受付ける操作指示受付手段と、
を備え、
前記表示制御手段は、前記操作指示受付手段により前記画像に関する操作指示がなされると、前記表示部に表示されているカメラの撮影にかかる対象を明示する情報の表示態様を変更して表示を維持することを特徴とする情報処理装置。
【請求項２】
カメラの撮影にかかる対象を明示する情報を取得する取得手段を備え、
前記表示制御手段は、前記取得手段により取得したカメラの撮影にかかる対象を明示する情報の表示を制御することを特徴とする請求項１に記載の情報処理装置。
【請求項３】
前記表示部に表示されている複数の画像から画像を選定する選定手段を備え、
前記表示制御手段は、前記選定手段により選定した画像に対応する前記カメラの撮影にかかる対象を明示する情報を表示部へ表示するよう制御することを特徴とする請求項１または２に記載の情報処理装置。
【請求項４】
前記表示制御手段は、前記カメラから受信した画像を表示部へ表示する、あるいは、記憶部へ予め記憶された画像を表示部へ表示するよう制御することを特徴とする請求項１乃至３の何れか１項に記載の情報処理装置。
【請求項５】
画像を表示部へ表示することを制御可能な情報処理装置と通信可能な画像処理サーバとからなる情報処理システムであって、
前記画像処理サーバは、
カメラの撮影にかかる対象を明示する情報を記憶する記憶手段を備え、
前記情報処理装置は、
画像が表示されている表示部に対応する前記画像処理サーバの記憶手段のカメラの撮影にかかる対象を明示する情報を当該表示部へ表示することを制御する表示制御手段と、
前記表示部に対する操作指示を受付ける操作指示受付手段と、
を備え、
前記表示制御手段は、前記操作指示受付手段により前記画像に関する操作指示がなされると、前記表示部に表示されているカメラの撮影にかかる対象を明示する情報の表示態様を変更して表示を維持することを特徴とする情報処理システム。
【請求項６】
画像を表示部へ表示することを制御可能な情報処理装置の制御方法であって、
前記情報処理装置は、
カメラで撮影することにより得られた画像と当該カメラの撮影にかかる対象を明示する情報とを表示部へ表示するように制御する表示制御ステップと、
前記表示部に対する操作指示を受付ける操作指示受付ステップと、
を実行し、
前記表示制御ステップは、前記操作指示受付ステップにより前記画像に関する操作指示がなされると、前記表示部に表示されているカメラの撮影にかかる対象を明示する情報の表示態様を変更して表示を維持することを特徴とする情報処理装置の制御方法。
【請求項７】
コンピュータを、
カメラで撮影することにより得られた画像と当該カメラの撮影にかかる対象を明示する情報とを表示部へ表示するように制御する表示制御手段と、
前記表示部に対する操作指示を受付ける操作指示受付手段と、
して機能させ、
前記表示制御手段は、前記操作指示受付手段により前記画像に関する操作指示がなされると、前記表示部に表示されているカメラの撮影にかかる対象を明示する情報の表示態様を変更して表示を維持するように機能させるためのプログラム。
【請求項８】
画像を表示部へ表示することを制御可能な情報処理装置と通信可能な、カメラの撮影にかかる対象を明示する情報を記憶する記憶手段を備えた画像処理サーバとからなる情報処理システムの制御方法であって、
前記情報処理装置は、
画像が表示されている表示部に対応する前記画像処理サーバの記憶手段のカメラの撮影にかかる対象を明示する情報を当該表示部へ表示することを制御する表示制御ステップと、
前記表示部に対する操作指示を受付ける操作指示受付ステップと、
を実行し、
前記表示制御ステップは、前記操作指示受付ステップにより前記画像に関する操作指示がなされると、前記表示部に表示されているカメラの撮影にかかる対象を明示する情報の表示態様を変更して表示を維持することを特徴とする情報処理システムの制御方法。
【手続補正２】
【補正対象書類名】明細書
【補正対象項目名】発明の名称
【補正方法】変更
【補正の内容】
【発明の名称】情報処理装置、情報処理システム、制御方法、及びプログラム。
【手続補正３】
【補正対象書類名】明細書
【補正対象項目名】００１１
【補正方法】変更
【補正の内容】
【００１１】
そこで、本発明では、ユーザが撮影にかかる対象を容易に認識することが可能な仕組みを提供することを目的とする。
【手続補正４】
【補正対象書類名】明細書
【補正対象項目名】００１２
【補正方法】変更
【補正の内容】
【００１２】
上記の目的を達成するための第１の発明は、画像を表示部へ表示することを制御可能な情報処理装置であって、カメラで撮影することにより得られた画像と当該カメラの撮影にかかる対象を明示する情報とを表示部へ表示するように制御する表示制御手段と、前記表示部に対する操作指示を受付ける操作指示受付手段と、を備え、前記表示制御手段は、前記操作指示受付手段により前記画像に関する操作指示がなされると、前記表示部に表示されているカメラの撮影にかかる対象を明示する情報の表示態様を変更して表示を維持することを特徴とする。
【手続補正５】
【補正対象書類名】明細書
【補正対象項目名】００１３
【補正方法】変更
【補正の内容】
【００１３】
上記の目的を達成するための第２の発明は、画像を表示部へ表示することを制御可能な情報処理装置の制御方法であって、前記情報処理装置は、カメラで撮影することにより得られた画像と当該カメラの撮影にかかる対象を明示する情報とを表示部へ表示するように制御する表示制御ステップと、前記表示部に対する操作指示を受付ける操作指示受付ステップと、を実行し、前記表示制御ステップは、前記操作指示受付ステップにより前記画像に関する操作指示がなされると、前記表示部に表示されているカメラの撮影にかかる対象を明示する情報の表示態様を変更して表示を維持することを特徴とする。
【手続補正６】
【補正対象書類名】明細書
【補正対象項目名】００１４
【補正方法】変更
【補正の内容】
【００１４】
上記の目的を達成するための第３の発明は、コンピュータを、カメラで撮影することにより得られた画像と当該カメラの撮影にかかる対象を明示する情報とを表示部へ表示するように制御する表示制御手段と、前記表示部に対する操作指示を受付ける操作指示受付手段と、して機能させ、前記表示制御手段は、前記操作指示受付手段により前記画像に関する操作指示がなされると、前記表示部に表示されているカメラの撮影にかかる対象を明示する情報の表示態様を変更して表示を維持するように機能させるためのプログラムである。
【手続補正７】
【補正対象書類名】明細書
【補正対象項目名】００１５
【補正方法】変更
【補正の内容】
【００１５】
本発明によれば、ユーザが撮影にかかる対象を容易に認識することが可能となる、という効果を奏する。
【手続補正８】
【補正対象書類名】明細書
【補正対象項目名】００１６
【補正方法】変更
【補正の内容】
【００１６】
【図１】本発明の実施形態に係るネットワークカメラシステムの概略項を示す構成図である。
【図２】本発明の実施形態に係る画像処理サーバ、携帯端末のハードウェアの構成を示す構成図である。
【図３】本発明の実施形態に係るネットワークカメラのハードウェアの構成を示す構成図である。
【図４】本発明の実施形態におけるログイン画面の構成図である。
【図５】本発明の実施形態におけるメニュー画面の構成図である。
【図６】本発明の実施形態におけるＬＩＶＥ画像表示画面の構成図である。
【図７】本発明の実施形態におけるグループ選択画面の構成図である。
【図８】本発明の実施形態におけるカメラ選択画面の構成図である。
【図９】本発明の実施形態における保存履歴選択画面の構成図である。
【図１０】本発明の実施形態における画像データ選択画面の構成図である。
【図１１】本発明の実施形態における画像再生画面の構成図である。
【図１２】本発明の実施形態における各テーブルの構成を示す構成図である。
【図１３】本発明の実施形態に係るカメラネットワークシステムにおける監視対象の画像データを参照する処理概要を示すフローチャートである。
【図１４】本発明の実施形態に係るカメラネットワークシステムにおけるＬＩＶＥ画像表示処理を示すフローチャートである。
【図１５】本発明の実施形態に係るカメラネットワークシステムにおける保存画像再生表示処理を示すフローチャートである。
【図１６】本発明の実施形態に係るカメラネットワークシステムにおける保存画像再生表示処理を示すフローチャートである。
【図１７】本発明の実施形態におけるＬＩＶＥ画像表示画面の構成図である。
【図１８】本発明の実施形態におけるＬＩＶＥ画像表示画面の構成図である。
【手続補正９】
【補正対象書類名】明細書
【補正対象項目名】００５１
【補正方法】変更
【補正の内容】
【００５１】
ユーザが、ＬＩＶＥ画像表示ボタン５０２を、表示部２１０を介して押下すると、ＬＩＶＥ画像を表示するためのＬＩＶＥ画像表示画面６００が表示され、画像処理サーバ１０８において、表示対象となるネットワークカメラ１０２を特定した後、特定されたネットワークカメラ１０２と直接通信を行い、撮影された画像データの表示を開始する。
【手続補正１０】
【補正対象書類名】明細書
【補正対象項目名】００７９
【補正方法】変更
【補正の内容】
【００７９】
ユーザは、カメラ名８０２に表示されたネットワークカメラ１０２を選択すると、当該ネットワークカメラ１０２で撮影した画像データの一覧を画像処理サーバ１０８より取得すると共に、図９に示す保存履歴選択画面９００を表示する。
【手続補正１１】
【補正対象書類名】明細書
【補正対象項目名】００８２
【補正方法】変更
【補正の内容】
【００８２】
図９に示す保存履歴選択画面９００は、再生表示を所望する画像データを選択するための画面であり、携帯端末の表示部２１０に表示される。